(57)【要約】【課題】表示画面を見なくても、撮像装置の撮影レンズ鏡筒を見ることで撮影画角を把握できる撮像装置または撮像装置のレンズ鏡筒を提供すること。【解決手段】基部に対して撮影光軸回りに回動させることで変倍操作を行うズーム環を持ち、該ズーム環上に焦点距離に応じて撮影光軸方向の異なる位置に第一の指標群を配置する。前記第一の指標群のうちの一つと相対して焦点距離を指し示すように第二の指標を前記基部に設ける。さらに、前記ズーム環より被写体側の鏡筒に、前記第二の指標の側から見たときに前記撮影光軸に対して対称の位置に一対の第三の指標を設ける。そして、前記第二の指標の側から見て、前記第二の指標が相対する第一の指標から前記第三の指標を結ぶ仮想線が成す角度が、前記第二の指標が指し示す焦点距離における撮影画角と略合致するよう、前記第一の指標群を光軸方向にそれぞれ異なる位置に配置する。【選択図】図４
2017037208.tif 000002
【特許請求の範囲】
【請求項１】
基部に対して撮影光軸回りに回動させることで変倍操作を行うズーム環と、
前記ズーム環上に焦点距離に応じて撮影光軸方向の異なる位置に配置した第一の指標群と、
前記第一の指標群のうちの一つと相対して焦点距離を指し示すよう前記基部に設けた第二の指標と、
前記ズーム環より被写体側の鏡筒に、前記第二の指標の側から見たときに前記撮影光軸に対して対称の位置に設けた一対の第三の指標とを備え、
前記第二の指標の側から見て、前記第二の指標が相対する第一の指標から前記第三の指標を結ぶ仮想線の成す角度が、前記第二の指標が指し示す焦点距離における撮影画角と合致するよう、前記第一の指標群が光軸方向にそれぞれ異なる位置に配置されたことを特徴とする撮像装置または撮像装置のレンズ鏡筒。
【請求項２】
前記第二の指標が相対する第一の指標から前記第三の指標を結ぶ前記仮想線が成す角度が、前記第二の指標が指し示す焦点距離における水平撮影画角と合致するよう、前記第一の指標群が光軸方向にそれぞれ異なる位置に配置されたことを特徴とする請求項１に記載の撮像装置または撮像装置のレンズ鏡筒。
【請求項３】
前記第二の指標が相対する第一の指標から前記第三の指標を結ぶ前記仮想線が成す角度が、前記第二の指標が指し示す焦点距離における垂直撮影画角と合致するよう、前記第一の指標群が光軸方向にそれぞれ異なる位置に配置されたことを特徴とする請求項１に記載の撮像装置または撮像装置のレンズ鏡筒。
【請求項４】
前記第一、第二および第三の指標を設けた側に対し位相が90°異なる側面に、
前記ズーム環上に焦点距離に応じて撮影光軸方向の異なる位置に配置した第四の指標群と、
前記第四の指標群のうちの一つと相対して焦点距離を指し示すよう前記基部に設けた第五の指標と、
前記ズーム環より被写体側の鏡筒に、前記第五の指標の側から見たときに前記撮影光軸に対して対称の位置に設けた一対の第六の指標とを備え、
前記第二の指標の側から見て、前記第二の指標が相対する第一の指標から前記第三の指標を結ぶ仮想線が成す角度が、前記第二の指標が指し示す焦点距離における水平撮影画角または垂直撮影画角と合致し、
その他方の撮影画角が、前記第五の指標の側から見て、前記第五の指標が相対する第四の指標から前記第六の指標を結ぶ仮想線が成す角度に合致するよう、
前記第一および第四の指標群が光軸方向にそれぞれ異なる位置に配置されたことを特徴とする請求項１に記載の撮像装置または撮像装置のレンズ鏡筒。
【発明の詳細な説明】
【技術分野】
【０００１】
本発明は、変倍機構を持つ撮像装置または撮像装置のレンズ鏡筒に関する。
【背景技術】
【０００２】
カメラやビデオカメラのレンズには変倍機構を備えたものがある。そのようなレンズの鏡筒部分には焦点距離を示す指標が設けられており、変倍操作にあたって撮影画角を決める際の目安に用いられる。画角を含めた最終的な構図は、カメラ本体に備えたファインダーやＬＣＤ等の画像表示手段に表示される撮影画像を確認して決定するのが一般的である。つまり、被写体が撮影画角内に入っているかどうかは、ファインダー像や表示手段に表示される撮影画像を見て確認をする。
【０００３】
さて、撮像素子を有するカメラ部とＬＣＤ等の画像表示手段および操作部を有する表示部とに分離合体が自在で、無線通信によって両者を連携動作させることによって、分離合体いずれの状態でも撮影が可能なデジタルカメラがある。また、表示手段や操作部を持たず、スマートフォンなどの外部装置を無線通信で連携させて表示部・操作部として利用するデジタルカメラも提案されている。
【０００４】
このようなデジタルカメラには、カメラ部と表示部が一体化した従来のカメラと同様の使い方の他に、カメラ部と表示部とを離した自由な位置や姿勢で撮影を行うことができる利点がある。例えば、防水型のカメラ部だけを水中に差し入れ、撮影者は陸上に居て濡れることなく、表示部を使って画像を確認しながら水中撮影をすることができる。あるいは、森などにカメラ部を仕掛け、撮影者は表示部を持って離れて身を隠し、野生動物に気づかれず生態を撮影することもできる。
【０００５】
このように、さまざまな状況での撮影が可能ではあるが、撮影状況によっては表示画面を確認しづらいことがある。例として、柵などがあって被写体に容易に接近できないような状況で、身を乗り出してカメラ部を持った手を差し伸べて撮影するケースがある。このようなカメラ部を遠くへ差し伸べるような撮影方法においては、カメラ部を安定的に保持して撮影するために、撮影者の視線は被写体およびカメラ部へ多く向けられる。反対の手に携える表示部に視線を向けづらく、そのために被写体が撮影画角内に入っているのかどうか、表示画面で確認することができない。
【０００６】
カメラ部に焦点距離を示す指標が設けられていれば、焦点距離から撮影画角を想像することは可能かもしれないが、一般の使用者には撮影画角を想像することも、ましてや被写体が撮影画角内に入っているかどうかを判断するのも難しい。
【０００７】
または、上述のようなカメラ部、または一眼レフカメラ等の交換レンズの側面には、焦点距離指標の他に、被写体までの撮影距離を示す撮影距離指標や、他に絞り指標が設けられることもあった。しかしながら昨今では、撮影距離指標や絞り指標は小型化やコストダウンのために省略され、撮影距離や絞り値はＬＣＤ等の表示画面で確認するように構成されていることが多い。このように、表示画面での情報提供を主体に構成された撮像装置では、カメラ部やレンズを一瞥しただけでは撮影条件が分からない。
【０００８】
そのような背景の中、装置の大型化やコストアップをせずに撮影距離情報を示す指標を設けたレンズ鏡筒が特許文献１に開示されている。
【先行技術文献】
【特許文献】
【０００９】
【特許文献１】特開平９−２８１３７６号公報
【発明の概要】
【発明が解決しようとする課題】
【００１０】
上記特許文献１におけるレンズ鏡筒は、マニュアルフォーカス操作環の１又は２以上の部位に形状の異なる異形部を備え、その異形部の回転方向位置により被写体までの撮影距離を表すよう構成されている。しかしながら本特許文献に示されたレンズ鏡筒でも、ファインダーや表示画面を見ないで被写体が撮影画角内に入っているかどうかを判断することは難しい。
【００１１】
本発明は、表示画面を見なくても、撮影レンズ鏡筒を見ることで撮影画角を把握できる撮像装置、または撮像装置のレンズ鏡筒を提供することを目的とする。
【課題を解決するための手段】
【００１２】
上記の目的を達成するために、本発明に係る撮像装置または撮像装置のレンズ鏡筒は、
基部に対して撮影光軸回りに回動させることで変倍操作を行うズーム環を持ち、該ズーム環上に焦点距離に応じて撮影光軸方向の異なる位置に第一の指標群を配置している。前記第一の指標群のうちの一つと相対して焦点距離を指し示すように第二の指標を前記基部に設けている。さらに、前記ズーム環より被写体側の鏡筒に、前記第二の指標の側から見たときに前記撮影光軸に対して対称の位置に一対の第三の指標を設けている。そして、前記第二の指標の側から見て、前記第二の指標が相対する第一の指標から前記第三の指標を結ぶ仮想線が成す角度が、前記第二の指標が指し示す焦点距離における撮影画角と略合致するよう、前記第一の指標群のそれぞれを光軸方向に配置している。
【００１３】
特に、前記第二の指標が相対する第一の指標から前記第三の指標を結ぶ前記仮想線が成す角度が、前記第二の指標が指し示す焦点距離における水平撮影画角と略合致する。
【００１４】
あるいは、前記第二の指標が相対する第一の指標から前記第三の指標を結ぶ前記仮想線が成す角度が、前記第二の指標が指し示す焦点距離における垂直撮影画角と略合致する。
【００１５】
さらには、前記第一、第二および第三の指標を設けた側に対し位相が90°異なる側面に、前記ズーム環上に焦点距離に応じて撮影光軸方向の異なる位置に第四の指標群を配置している。また、前記第四の指標群のうちの一つと相対して焦点距離を指し示すよう前記基部に第五の指標を設けている。さらに、前記ズーム環より被写体側の鏡筒に、前記第五の指標の側から見たときに前記撮影光軸に対して対称の位置に一対の第六の指標を設けている。そして、前記第二の指標の側から見て、前記第二の指標が相対する第一の指標から前記第三の指標を結ぶ仮想線が成す角度が、前記第二の指標が指し示す焦点距離における水平撮影画角または垂直撮影画角と略合致するよう、前記第一の指標群のそれぞれを光軸方向に配置している。さらに、その他方の撮影画角が、前記第五の指標の側から見て、前記第五の指標が相対する第四の指標から前記第六の指標を結ぶ仮想線が成す角度に略合致するよう、前記第四の指標群のそれぞれを光軸方向に配置している。
【発明の効果】
【００１６】
本発明に係る撮像装置または撮像装置のレンズ鏡筒によれば、その外観の各指標の配置から水平撮影画角または垂直撮影画角を把握することができ、表示画面を見なくても被写体が撮影画角に入っているかどうかを知ることができる。そのため、表示画面を見ることが難しいような撮影条件であっても、安心して撮影を行うことができる。
【図面の簡単な説明】
【００１７】
【図１】第一の実施形態における撮像システムの合体した外観を表す俯瞰図である。
【図２】第一の実施形態における撮像システムの分離した外観を表す俯瞰図である。
【図３】第一の実施形態における撮像システムの構成を説明するブロック図である。
【図４】第一の実施形態におけるカメラヘッド上面の外観を表す外観図である。
【図５】第一の実施形態におけるカメラヘッド上面の外観であり、焦点距離を２４ｍｍに設定した様子を表す外観図である。
【図６】第一の実施形態におけるカメラヘッド上面の外観であり、焦点距離を５５ｍｍに設定した様子を表す外観図である。
【図７】第二の実施形態におけるカメラヘッドの外観を表す俯瞰図である。
【図８】第二の実施形態におけるカメラヘッドの外観であり、焦点距離を１８ｍｍに設定した様子を表す外観図である。
【図９】第二の実施形態におけるカメラヘッドの外観であり、焦点距離を５５ｍｍに設定した様子を表す外観図である。
【発明を実施するための形態】
【００１８】
以下、本発明を実施するための形態を図面に基づいて説明する。
【００１９】
＜第１の実施形態＞
以下に、本発明の第一の実施形態を説明する。図１および図２は、カメラ部たるカメラヘッド１０１と表示部たるスマートフォン１０２で構成される撮像システム１００の外観を表す図である。図１はカメラヘッド１０１とスマートフォン１０２を合体させた状態を表しており、図２はそれらを分離させた状態の外観を表している。また、図１および図２において、（Ａ）は本撮像システム１００を前方から俯瞰した外観を表し、（Ｂ）は同じく後方から俯瞰した外観を表している。さらに、図３は本撮像システム１００を成すカメラヘッド１０１とスマートフォン１０２の構成を説明するブロック図である。図１から図３を参照して、本撮像システム１００の構成を説明する。
【００２０】
まず、カメラヘッド１０１は略円筒形状の筐体を持ち、筐体は固定鏡筒１１２、ズームリング１１３、フォーカスリング１１４、移動鏡筒１１５の４つの部位に分かれている。
【００２１】
固定鏡筒１１２には撮像素子３０２を内蔵している。撮像素子３０２はカメラ制御部３０３によって制御されて被写体像を撮像し、被写体像は画像処理部３０４に送られて所定の静止画像データ、または動画像データに変換処理される。該静止画像データまたは動画像データは、各部の動作を制御する制御部３０５により、メモリ３０６に記録されるか、またはＷｉ−Ｆｉに代表されるような無線送受信部３０７を介して外部に送信される。また、カメラヘッド１０１の電源をＯＮ／ＯＦＦする電源スイッチ１１１を備えている。
【００２２】
さらに、固定鏡筒１１２後部には一対の係合爪１０７、１０８を備えている。係合爪１０７、１０８の略中間部に、後述する無接点検知部１１０を内蔵している（図２（Ｂ）中に破線で示す）。係合爪１０７、１０８はその間隔を任意に調整することが可能であり、係合爪１０７、１０８でスマートフォン１０２のような相手機器を挟み込むことで係合することが出来る。
【００２３】
ズームリング１１３は、固定鏡筒１１２に対して撮影光軸回りに回転させることでレンズ光学系３０１の変倍駆動を行う操作部である。ズームリング１１３の外周円筒面には焦点距離指標群が設けられている。焦点距離指標群については後述する。
【００２４】
フォーカスリング１１４は、撮影光軸回りに回転させることでレンズ光学系３０１の焦点操作を行う操作部である。
【００２５】
移動鏡筒１１５は、ズームリング１１３の操作に応じて撮影光軸方向に進退し、これによってレンズ光学系３０１の変倍を行うことができる。
【００２６】
一方、スマートフォン１０２は、ＬＣＤやＯＬＥＤに代表される表示素子１０９を一面に備えた扁平な筐体を持っている。表示素子１０９の反対側の面には、後述する無接点検知部１０５を内蔵している（図２（Ａ）中に破線で示す）。表示素子１０９には、無線送受信部３０９を介して外部から受信した画像データや、メモリ３１１に記録されていた画像データを、画像処理部３１２で復号化して画像として表示することができる。また、表示素子１０９に表示する画像には、キャラクタジェネレータ３１３にて生成したキャラクタを重畳することが出来る。
【００２７】
さらに、表示素子１０９に重なるようにしてタッチパネル３１４を配している。これにより、表示画面の所望の位置にキャラクタを表示し、当該個所を指などで触れたことをタッチパネル３１４で検知して所定の応答を行うグラフィカルなユーザーインターフェイス（以下、ＧＵＩ）を構成している。さらに、画像の撮影動作を指示するレリーズスイッチ１０４と、スマートフォン１０２の電源をＯＮ／ＯＦＦする電源スイッチ１０３を備えている。制御部３１０は、スマートフォン１０２各部の動作を司っている。
【００２８】
カメラヘッド１０１とスマートフォン１０２は、無線送受信部３０７、３０９を介して通信し、互いに連携した動作を行うことで撮像システム１００を成している。具体的には、タッチパネル３１４やレリーズスイッチ１０４の操作に応じた制御コマンドをスマートフォン１０２の無線送受信部３０９から送出し、カメラヘッド１０１の無線送受信部３０７で受信してカメラヘッド１０１の動作を制御することが可能である。スマートフォン１０２からの撮影指示コマンドに応じてカメラヘッド１０１は画像を撮影し、画像データを無線送受信部３０７から送出する。
【００２９】
スマートフォン１０２の無線送受信部３０９で受信した画像データは、表示素子１０９に表示したり、またはメモリ３１１に記録することが可能である。すなわち、カメラヘッド１０１とスマートフォン１０２は、無線送受信部３０７、３０９の通信到達距離以内であれば両者の距離に関わらず連携動作が可能であり、相互に位置や姿勢の制約を受けず撮影が出来るため、撮影領域の拡大を望むことができる。なお、先述のような係合爪１０７、１０８によってカメラヘッド１０１とスマートフォン１０２を係合させた状態でも、無線送受信部３０７、３０９によって相互通信を行って連携動作を行う。
【００３０】
さて、カメラヘッド１０１、スマートフォン１０２のそれぞれに設けられた無接点検知部には、ここではＮＦＣ（Ｎｅａｒ Ｆｉｅｌｄ Ｃｏｍｍｕｎｉｃａｔｉｏｎ）を利用した近距離無線通信技術を適用することにする。無接点検知部は、通信データ送受のためのアンテナと該通信データを符号化・復号化する送受信部を有し（いずれも図示せず）、他の無接点検知部やＩＣタグと情報をやり取りするリーダ／ライタ機能を実装している。近距離無線通信技術では、数ｃｍ程度に到達距離の限られる微弱電波を用いることにより、無接点検知部によってカメラヘッド１０１とスマートフォン１０２が近接していることを検知することができる。
【００３１】
では、無接点検知部の動作について説明する。先述の通り、カメラヘッド１０１には、係合爪１０７、１０８の略中間部に無接点検知部１１０を内蔵している。無接点検知部１１０によって他の無接点検知部やＩＣタグが近接しているかどうか検知した結果は、制御部３０５に伝達されてカメラヘッド１０１の制御に利用される。スマートフォン１０２の一側面には、図２（Ａ）に示す通り無接点検知部１０５が配置されている。無接点検知部１０５の検知結果は、制御部３１０に伝達されてスマートフォン１０２の制御に利用される。
【００３２】
以上説明した配置によって、カメラヘッド１０１をスマートフォン１０２に取り付けると、無接点検知部１１０と無接点検知部１０５が近接して向かい合い、近距離無線通信が可能な状態になる。カメラヘッド１０１の制御部３０５は、無接点検知部１１０の検知によってスマートフォン１０２が近距離無線通信可能な状態にある、すなわちカメラヘッド１０１がスマートフォン１０２に取り付けられている状態であることを示す取付検知信号を無線送受信部３０７を通して発信する。スマートフォン１０２は、無接点検知部１０５の検知によってカメラヘッド１０１が取り付けられている状態であることを検知する。
【００３３】
さらに、無線送受信部３０９を通してカメラヘッド１０１が発信した取付検知信号を受信すると、無接点検知部１０５の検知結果と併せて、カメラヘッド１０１が取り付けられていると認識する。また逆に、スマートフォン１０２から無線送受信部３０９を通して発信する取付検知信号を、カメラヘッド１０１が無線送受信部３０７で受信して取付判定に用いることもできる。
【００３４】
このようにして、カメラヘッド１０１とスマートフォン１０２は互いに分離状態か合体状態かを検知することができる。
【００３５】
さて、カメラヘッド１０１の外周円筒面に設けた指標について説明する。図４は、カメラヘッド１０１を上面から見た平面図である。図４の上方は被写体方向であり、下方は撮影者側となっている。下方、撮影者側から固定鏡筒１１２、ズームリング１１３、フォーカスリング１１４、移動鏡筒１１５の順に外観が構成されている。図４を参照して以下に説明する。
【００３６】
固定鏡筒１１２には基準指標４０１が設けられている。基準指標４０１はカメラヘッド１０１を上面から見て撮影光軸上に配置している。ズームリング１１３には、各焦点距離に対応して焦点距離指標４０２から４０７が設けられている。各焦点距離指標は円形指標と焦点距離数字の組み合わせで成っており、ズームリング１１３の回転位相に対応して、基準指標４０１に対向する位置の焦点距離数字の数値が、現在の焦点距離を示している。
【００３７】
例えば、図４に示す焦点距離１８ｍｍの場合、焦点距離数字４０２ｂが基準指標４０１に対向する位置にあり、カメラヘッド１０１上面から見て撮影光軸上に基準指標４０１と焦点距離数字４０２ｂおよび円形指標４０２ａが順に並ぶ。円形指標４０２ａは後述するように撮影光軸方向の所定の位置に配置しており、円形指標４０２ａと焦点距離数字４０２ｂの間隔が空いているので、指標線４０２ｃで両者を繋いで関連性を表している。
【００３８】
移動鏡筒１１５には、カメラヘッド１０１を上面から見て撮影光軸に対して対称の位置に一対の対物指標４０８を設けている。なお、移動鏡筒１１５は変倍操作によって撮影光軸方向に直進し回転しないものとし、従って対物指標４０８は、移動鏡筒１１５が進退してもカメラヘッド１０１の上面から見て左右対称の関係を保つ。
【００３９】
図５、図６に、ある焦点距離における各指標の位置関係例を示す。図５はズームリング１１３を回転して焦点距離を２４ｍｍに設定した様子を表す。図６は同じく焦点距離を５５ｍｍに設定した様子である。
【００４０】
図５に示すように、焦点距離２４ｍｍにおける円形指標４０３ａは、対物指標４０８に対して光軸方向に距離Ｌ１だけ離れた位置に配置している。左右の対物指標４０８間の距離をＷ１として、Ｗ１を底辺として高さＬ１の三角形が成す頂角の角度α１が、焦点距離２４ｍｍの撮影画角に略等しくなるように、円形指標４０２ａの位置までの距離Ｌ１が決定されている。
【００４１】
図６でも同様に、焦点距離５５ｍｍにおける円形指標４０７ａは、対物指標４０８に対して光軸方向に距離Ｌ２だけ離れた位置に配置している。距離Ｌ２は、変倍操作によって移動鏡筒１１５が被写体方向に伸長した距離を含む。対物指標４０８間の距離Ｗ１を底辺として高さＬ２の三角形が成す頂角の角度α２が、焦点距離５５ｍｍの撮影画角に略等しくなるように距離Ｌ２が決定されている。
【００４２】
ここでの説明は省略するが、他の焦点距離指標も同様に、その焦点距離に設定した時にカメラヘッド１０１上面から見た対物指標４０８と円形指標から形成される三角形の頂角が、各焦点距離におけるカメラヘッド１０１上面から見た撮影画角（水平画角）に略等しくなるように、円形指標がそれぞれ配置されている。
【００４３】
以上のように、本カメラヘッド１０１の円筒面に示された指標の配置を見て現在の水平撮影画角をおおよそ把握することができ、表示素子１０９の画面を見なくても、被写体が撮影画角に入っているかどうかを判断することが可能となる。
【００４４】
なお、基準指標４０１、焦点距離指標４０２、対物指標４０８をカメラヘッド１０１の底面に設けても良い。その場合、カメラヘッド１０１を高く掲げて撮影する場合に、下から見上げて水平撮影画角を知ることができる。また、基準指標４０１、焦点距離指標４０２、対物指標４０８をカメラヘッド１０１の側面に設ければ、垂直画角を示すことができることは言うまでもない。
【００４５】
本実施形態ではスマートフォン１０２と連携動作するカメラヘッド１０１を説明したが、カメラヘッド１０１と連携動作する表示部は専用の端末装置であっても構わない。また、カメラヘッド１０１は、撮像素子３０２を含む撮像ブロックとレンズ光学系３０１を含む光学ブロックとに分離可能であっても構わない。その場合、光学ブロックに基準指標４０１、焦点距離指標４０２、対物指標４０８をそれぞれ適切な位置に配置すればよい。光学ブロックには、レンズ交換式カメラの交換レンズが含まれる。交換レンズの光学仕様に合わせて、それぞれのレンズに基準指標４０１、焦点距離指標４０２、対物指標４０８を適切な位置に配置すれば、本発明の通りおおよその撮影画角を表示画面を見ないでも知ることができる。
【００４６】
＜第２の実施形態＞
次に、本発明の第二の実施形態を説明する。図７は、第二の実施形態におけるカメラヘッド７０１の外観を表している。なお、第一の実施形態にて説明したカメラヘッド１０１と同一の構成要素に対しては同一の符号を付し、ここでの説明は省略する。また、本カメラヘッド７０１と連携動作する相手機器は、第一の実施形態と同じスマートフォン１０２であるとし、それらの連携動作、分離合体の検知動作も同一であるので、ここでの説明は省略する。
【００４７】
本カメラヘッド７０１の筐体は、固定鏡筒７０２、ズームリング７０３、フォーカスリング１１４、移動鏡筒７０４の４つの部位から成る。
【００４８】
固定鏡筒７０２には、カメラヘッド７０１上面から見て撮影光軸上に位置する基準指標４０１と、基準指標４０１から９０°位相のずれた位置に第二基準指標４０１’を設けている。すなわち、第二基準指標４０１’はカメラヘッド７０１を真横から見たときに撮影光軸上に位置するように設けられている。基準指標４０１が円形の指標であるのに対し、第二基準指標４０１’は四角形の指標として識別できるようになっている。
【００４９】
ズームリング７０３の上面側には、第一の実施形態と同様に焦点距離指標４０２から４０７が設けられ、カメラヘッド７０１上面から見たときに基準指標４０１と対向する位置の焦点距離指標が焦点距離を表す。さらに、焦点距離指標４０２から４０７のそれぞれに対して、第二基準指標４０１’と同じ方向に位相が９０°ずれた位置に第二焦点距離指標４０２‘から４０７’を設けている。第二焦点距離指標は四角形指標と焦点距離数字の組み合わせであり、後述するように各四角形指標は撮影光軸方向の所定の位置にそれぞれ配置されている。
【００５０】
移動鏡筒７０４には、カメラヘッド１０１を上面から見て撮影光軸に対して対称の位置に一対の対物指標４０８を設けている。さらに、第二基準指標４０１’と同じ方向から見て撮影光軸に対して対称の位置に一対の第二対物指標４０８‘を設けている。第二対物指標４０８‘は四角形の指標として、対物指標４０８と区別できるようになっている。
【００５１】
図８、図９に、本カメラヘッド７０１のある焦点距離における各指標の位置関係例を示す。図８は焦点距離を１８ｍｍに設定した様子を表す。図９は同じく焦点距離を５５ｍｍに設定した様子である。図８、図９それぞれにおいて、（Ａ）はカメラヘッド７０１を上面から見た外観図であり、（Ｂ）はカメラヘッド７０１を左側面から見た外観図である。
【００５２】
図８（Ａ）において、円形指標４０２ａは、対物指標４０８に対して光軸方向に距離Ｌ３だけ離れた位置に配置している。左右の対物指標４０８間の距離Ｗ１を底辺として、高さＬ３の三角形が成す頂角の角度α３が、焦点距離１８ｍｍの水平撮影画角に略等しくなるように、円形指標４０２ａまでの距離Ｌ３が決定されている。この時、カメラヘッド７０１左側面では、四角形指標４０２ａ‘が第二対物指標４０８‘に対して光軸方向に距離Ｌ４だけ離れた位置に位置している。第二対物指標４０８‘の間隔距離をＷ２として、Ｗ２を底辺として高さＬ４の三角形が成す頂角の角度α４が、焦点距離１８ｍｍの垂直撮影画角に略等しくなるように、四角形指標４０２ａ‘までの距離Ｌ４が決定されている。
【００５３】
図９でも同様に、図９（Ａ）において、角度α２が焦点距離５５ｍｍの水平撮影画角に略等しくなるように、対物指標４０８から円形指標４０７ａまでの距離Ｌ２が決定されている。同時に、カメラヘッド７０１左側面では、四角形指標４０７ａ‘が第二対物指標４０８‘に対して光軸方向に距離Ｌ５だけ離れた位置に位置している。第二対物指標４０８‘の間隔距離Ｗ２を底辺として高さＬ５の三角形が成す頂角の角度α５が、焦点距離５５ｍｍの垂直撮影画角に略等しくなるように、四角形指標４０７ａ‘の位置までの距離Ｌ５が決定されている。
【００５４】
以上のように、本カメラヘッド７０１は上面に設けた基準指標４０１、焦点距離指標４０２から４０７、対物指標４０８によって水平撮影画角を把握することができる。同時に、本カメラヘッド７０１の左側面に設けた第二基準指標４０１’、第二焦点距離指標４０２‘から４０７’、第二対物指標４０８‘によって垂直撮影画角を把握することができる。もちろん、同様の指標をカメラヘッド７０１下面や右側面に設けても良い。こうすることで、表示画面を確認できないような撮影姿勢であっても、カメラヘッド７０１をみて撮影画角を把握することができる。
【００５５】
なお、第一の実施形態と同様に、本発明はレンズ交換式カメラの交換レンズに適用することも出来る。
【符号の説明】
【００５６】
１００  撮像システム、１０１  カメラヘッド、１０２  スマートフォン、
１０３  電源スイッチ、１０４  レリーズスイッチ、１０５  無接点検知部、
１０７，１０８  係合爪、１０９  表示素子、１１０  無接点検知部、
１１１  電源スイッチ、１１２  固定鏡筒、１１３  ズームリング、
１１４  フォーカスリング、１１５  移動鏡筒、３０１  レンズ光学系、
３０２  撮像素子、３０３  カメラ制御部、３０４  画像処理部、３０５  制御部、
３０６，３１１  メモリ、３０７，３０９  無線送受信部、３１０  制御部、
３１２  画像処理部、３１３  キャラクタジェネレータ、３１４  タッチパネル、
４０１  基準指標、４０２  焦点距離指標、４０２ａ，４０３ａ，４０７ａ  円形指標、
４０２ｂ  焦点距離数字、４０２ｃ  指標線、４０８  対物指標、
７０１  カメラヘッド、７０２  固定鏡筒、７０３  ズームリング、７０４  移動鏡筒
【図１】
2017037208.tif 000003
【図２】
2017037208.tif 000004
【図３】
2017037208.tif 000005
【図４】
2017037208.tif 000006
【図５】
2017037208.tif 000007
【図６】
2017037208.tif 000008
【図７】
2017037208.tif 000009
【図８】
2017037208.tif 000010
【図９】
2017037208.tif 000011